(57)【要約】【課題】  一つのラックに複数設置し得る固定手段を備えたガイド部材機構の提供と、印字用紙よりも広幅の転写リボンを用い、幅狭な印字用紙に印字した場合でも転写リボンを無駄にしないプリンタの用紙ガイド装置の提供。【解決手段】  一つのラック１４に移動時には緩め、固定時には締付ける締付部１５Ｄを備えたガイド部材１５を複数設ける。単一の転写リボンを用いて複数列の印字用紙７に同時に印字できる。また、幅の狭い印字用紙７に大きな転写リボンを片側ずつ往復させて使用することも可能である。【選択図】        図１
2008030336.tif 000002
【特許請求の範囲】
【請求項１】
一端側がプリンタ筐体の基準面に固定される片持固定部となり、先端側が二股部となったラックと、該ラック上に移動可能に配設され、所定位置に固定されるガイド部材とを備えたプリンタの用紙ガイド装置において、前記ラックには二股部と直交方向に第二の二股部を形成し、前記ガイド部材は、ラックの二股部間に挿通される摺接部と、摺接部から伸張して前記ラック上を走行する印字用紙を幅規制するガイド部と、前記摺接部をラックに抜け止めするように第二の二股部に挿通された抜け止め部と、該抜け止め部と共に前記ガイド部をラック上の所定位置に締め付ける締付部を備え、移動時にはこれを緩め、固定時にはこれを締付けて固定することを特徴とするプリンタの用紙ガイド装置。
【請求項２】
前記ガイド部材を同一のラック上に複数設けてなる、請求項１に記載のプリンタの用紙ガイド装置。
【請求項３】
前記ガイド部材のうち、少なくとも１つは、ガイド部を前記ラックの用紙側と反対側に向けて収納できるようにした、請求項２に記載のプリンタの用紙ガイド装置。
【発明の詳細な説明】
【技術分野】
【０００１】
本発明は、長尺の印刷紙のロールをラックに引っ掛けて用いるのに好適なプリンタの用紙ガイド装置に関する。
【背景技術】
【０００２】
従来、プリンタの用紙ガイド装置として、例えば特許文献１が知られている。
即ち、プリンタ筐体内の基準面に突設されたラックに印字用ロール紙を引っ掛け、前記基準面に向けて幅規制するガイド部材を設けたものである。
【特許文献１】特開平０５−３０１４０３号公報
【０００３】
ところで、上記従来技術では、印字用紙をプリンタ筐体内の基準面に片寄せして位置決めするため、印字用紙幅に合わせた大きさの転写リボンを用いる必要がある。
【０００４】
この場合、一番幅寸法の大きい転写リボンを常備すれば、複数種の幅寸法の印字用紙に対応できるが、繰り返し使用のできる転写リボン（所謂マルチタイムリボン）でない限り、転写リボンは１回しか使用できないため、無駄が多くなるという欠点がある。
また、上記の場合、印字用紙の幅規制をするガイド部材を複数個設けることにより、印字用紙よりも幅寸法の大きい転写リボンを往復させて片側ずつ使用可能と考えられる。しかし、特許文献１の技術では、水平ガイドロッド１８に取り付ける垂直サポートロッド２０の固定手段が摩擦のみよるため、大きな取付寸法を必要とし、ガイド部材を複数設けることは現実的ではない。
【０００５】
一方、使用する印字用紙の種類が多い場合、印字用紙の幅に合わせた大きさの転写リボンを常備することは手間、費用の面で煩雑であった。
【発明の開示】
【発明が解決しようとする課題】
【０００６】
本発明は上記従来技術の問題に鑑みなされたものであり、本発明の一の目的は、一つのラックに複数設置し得る固定手段を備えたガイド部材機構の提供であり、本発明の他の目的は、印字用紙よりも大きな幅の転写リボンを用い、幅の狭い印字用紙に印字した場合でも転写リボンを無駄にしないプリンタの用紙ガイド装置を提供することにある。
【課題を解決するための手段】
【０００７】
上記課題を解決するため、本発明に係るプリンタの用紙ガイド装置では、一端側がプリンタ筐体の基準面に固定される片持固定部となり、先端側が二股部となったラックと、該ラック上に移動可能に配設され、所定位置に固定されるガイド部材とを備えたプリンタの用紙ガイド装置において、前記ラックには二股部と直交方向に第二の二股部を形成し、前記ガイド部材は、ラックの二股部間に挿通される摺接部と、摺接部から伸張して前記ラック上を走行する印字用紙を幅規制するガイド部と、前記摺接部をラックに抜け止めするように第二の二股部に挿通された抜け止め部と、該抜け止め部と共に前記ガイド部をラック上の所定位置に締め付ける締付部を備え、移動時にはこれを緩め、固定時にはこれを締付けて固定することを特徴とする構成を採用した。
【０００８】
ここで、前記ガイド部材は同一のラック上に複数設けることができ、この場合さらに、前記ガイド部材のうち、少なくとも１つは、ガイド部を前記ラックの用紙側と反対側に向けて収納できるようにするのが好ましい。
【０００９】
上記構成によれば、ガイド部材に移動時には緩め、固定時には締付けてラックに固定する締付部を設けたので、ガイド部材をラックに取付ける取付寸法が小さくて済み、よって１つのラックに複数のガイド部材を設けるのに適した構造となる。
【００１０】
そして、上記構成により、少なくとも１つのガイド部材はガイド部を前記ラックの用紙側と反対側に向けて収納可能となるため、印字用紙の幅と等しい転写リボンを用いる場合に不要となるガイド部材は邪魔にならない位置に退避できる。
【発明の効果】
【００１１】
本発明によれば、１つのラックに複数のガイド部材を設けることが容易かつ現実的となるので、大きな幅の転写リボンに対して幅寸法の小さな印字用紙を複数並べて同時に印字したり、転写リボンを掛け替え片側ずつ往復させて幅の狭い印字用紙に使用することができる。よって、複数種の印字用紙を用いる場合でも用紙幅に応じた複数の転写リボンを用いることなく、印字リボンのランニングコストを低減できる。
【発明を実施するための最良の形態】
【００１２】
以下、本発明の実施の形態につき図面を参照しつつ詳細に説明する。なお、この形態によりこの発明が限定されるものではなく、また、以下に示す形態の構成要素には、当業者が置換可能且つ容易なもの、或いは実質的同一のものが含まれるものとする。
【００１３】
図１は本発明の実施の形態にかかるラベルプリンタの一部透過斜視図、図２は図１中の用紙ガイド装置の拡大図で（Ａ）は複数のガイド部材を使用する場合、（Ｂ）は一方のガイド部材を収納する場合の操作説明図である。図３は図２（Ｂ）中の矢示III−III方向に沿った断面図、図４は用紙ガイド装置の変形例であって、（Ａ）は複数のガイド部材を使用する場合、（Ｂ）は一方のガイド部材を収納する場合の操作途中の説明図、（Ｃ）は一方のガイド部材を収納した状態を示す説明図である。図５は本発明に係るプリンタの用紙ガイド装置を用いて印字用紙の幅と同一幅の転写リボンを用いる場合（即ち、従来通り）の使用方法を示す説明図である。
【００１４】
１はラベルプリンタを示し、該ラベルプリンタ１は箱状の筐体２を備え、該筐体２内には垂直方向に左右を二分するように、アルミダイキャスト等からなる基準面３が設けられている。
【００１５】
前記基準面３の右側上部にはカバー４（破線で図示）が設けられ、ヒンジ５を介して上側に回動して開閉できるようになっている。
【００１６】
６は本発明に係る用紙ガイド装置であり、後述するラック１４、ガイド部材１５により構成されている。
【００１７】
７は用紙ガイド装置６に引っ掛けて装着する印字用紙のロールであり、その先端側はロールから引き出されて通紙ガイド８、印字ヘッド９、プラテンローラ１０を経て印字され、筐体２前面の排出口１１から排出されるようになっている。
１２は転写リボンの供給軸に装着された供給ロール、１３は転写リボンの巻き取り軸に装着された巻き取りロールであり、各軸は基準面３左側の筐体２内に納められた図示しない駆動機構により駆動される（なお、前記通紙ガイド８はラック８Ａと、印字用紙７を幅規制するガイド部材８Ｂを備える一方、基準面３上の取付軸にダンパ機構（いずれも不図示）を介して揺動可能に設けられている。通紙ガイド８の機構の構成についてはダンパ機構を除き後述する用紙ガイド装置６と同様であり、ダンパ機構については周知であるため、その説明は省略する）。
【００１８】
図２において、１４はラックであり、該ラック１４は、一端側がプリンタ筐体２の基準面３に固定される片持固定部１４Ａとなり、先端側が分岐して二股部１４Ｂとなっている。
また、二股部１４Ｂの一方の上下面には歯形部１４Ｃが形成されている（上面側のみ図示）。そして、ラック１４には二股部１４Ｂと直交方向に第二の二股部１４Ｄが形成されている。
【００１９】
１５は前記ラック１４上に移動可能に配設たガイド部材を示し、該ガイド部材１５は、ラック１４の二股部１４Ｂの間に挿通される摺接部１５Ａと、該摺接部１５Ａから伸張して前記ラック１４上を走行する印字用紙７を幅規制するガイド部１５Ｂと、前記摺接部１５Ａをラック１４に抜け止めするように第二の二股部１４Ｄに挿通された抜け止めピン１５Ｃと、該抜け止めピン１５Ｃと共に前記ガイド部１５Ｂをラック１４上の所定位置に締め付ける締付部１５Ｄを備えている。該締付部１５Ｄは、移動時にはこれを緩め、固定時にはこれを締付けることが可能な構成を備えており、これを図３に示す。
【００２０】
図示の如く、前記摺接部１５Ａはラック１４の二股部１４Ｂの間隔に適合するブロック状に形成され、ガイド部１５Ｂはこれよりも幅の大きな中空箱状をなし、摺接部１５Ａとの間に段部１５Ｅが形成されている。
前記締付部１５Ｄは、洗濯ばさみと類似構造からなる、レバー１５Ｆ、支点１５Ｇ、ばね１５Ｈからなり、レバー１５Ｆの先端部は、前記ラック１４の歯形部１４Ｃとかみ合うように歯形部１５Ｊが形成されている。
【００２１】
レバー１５Ｆを図２中の矢示イの方向に操作すると、締付部１５Ｄは緩められ、ガイド部材１５は移動可能となり、レバー１５Ｆを離すとばね１５Ｈにより締付部１５Ｄは締付けられる。
【００２２】
そして、ガイド部材１５は図２（Ａ）中の矢示ロ（破線で示す）のように、ラック１４の先端側で転向することが可能であり、使用しないときには図２（Ｂ）のように用紙が走行する側と反対側に収納できる。印字用紙のロール７はラック１４に引っ掛ける構造なため、ラック１４はロールの中央から偏心し、図３中に一点鎖線で示すような位置関係となるので、印字するときに障害となることは少ないという利点がある。
【００２３】
また、図４は第二の二股部１４Ｄの先端側で幅を大きくし、一方のガイド部材１５を用紙通路の反対側で基準面３側に退避できるようにした変形例である。
【００２４】
以上のように、一つのラック１４に移動時には緩め、固定時には締付ける締付部１５Ｄを備えたガイド部材１５を複数設けたので、図１のように、単一の転写リボンを用いて複数列の印字用紙７に同時に印字することができる。
【００２５】
また、図示はしないが、図１のようにして印字用紙７と転写リボンを片側ずつ使用することも可能である。
【００２６】
そして、少なくとも１つのガイド部材１５はガイド部１５Ｂを前記ラック１４の用紙７側と反対側に向けて収納可能となるため、印字用紙７の幅と等しい転写リボンを用いる場合に不要となるガイド部材１５は邪魔にならない位置に退避させることができる。
この状態を示すのが、図５である。
【００２７】
なお、上記実施の形態では、転写リボンを用いる場合を説明したが、本発明はこれに限定することなく、例えば感熱発色紙からなる印字用紙についても同様に使用することができる。即ち、印字ヘッドが印字用紙の幅に対して十分に大きい場合には、例えば２列の印字用紙を同時にセットして印字することができ、時間と手間の節約を図ることができる。
【図面の簡単な説明】
【００２８】
【図１】本発明の実施の形態にかかるラベルプリンタの一部透過斜視図である。
【図２】図１中の用紙ガイド装置の拡大図で（Ａ）は複数のガイド部材を使用する場合、（Ｂ）は一方のガイド部材を収納する場合の操作説明図である。
【図３】図２（Ｂ）中の矢示III−III方向に沿った断面図である。
【図４】用紙ガイド装置の変形例であって、（Ａ）は複数のガイド部材を使用する場合、（Ｂ）は一方のガイド部材を収納する場合の操作途中の説明図、（Ｃ）は一方のガイド部材を収納した状態を示す説明図である。
【図５】本発明に係るプリンタの用紙ガイド装置を用いて印字用紙の幅と同一幅の転写リボンを用いる場合（即ち、従来通り）の使用方法を示す説明図である。
【符号の説明】
【００２９】
６…用紙ガイド装置、１４…ラック、１４Ａ…片持固定部、１４Ｂ…二股部、１４Ｃ…歯形部、１４Ｄ…第二の二股部、１５…ガイド部材、１５Ａ…摺接部、１５Ｂ…ガイド部、１５Ｃ…抜止ピン、１５Ｄ…締付部、１５Ｅ…段部、１５Ｆ…レバー、１５Ｇ…支点、１５Ｈ…ばね、１５Ｊ…歯形部
【図１】
2008030336.tif 000003
【図２】
2008030336.tif 000004
【図３】
2008030336.tif 000005
【図４】
2008030336.tif 000006
【図５】
2008030336.tif 000007